(57)【要約】【課題】連結部の巧妙な破断を好適に防止することができ、万が一、連結部を破壊された場合でも当該連結部の破断の痕跡を一見して把握可能とすることで、基板ボックスに対する不正を早期に発見することができる遊技機を提供することにある。【解決手段】第１連結部７１は、その全長に亘って係合凹部７１ａを備えるとともに、第２連結部７３は、その全長に亘って当該係合凹部７１ａに係合可能な係合凸部７３ａを備え、基板ボックス１２が封印される際、係合凸部７３ａを係合凹部７１ａに係合する。【選択図】図２
2010004970.tif 000002
【特許請求の範囲】
【請求項１】
電子部品を搭載した制御基板を基板ボックスに収納した制御装置を備える遊技機において、
前記基板ボックスは、
第１ボックス構成部材と、第２ボックス構成部材と、前記第１ボックス構成部材及び前記第２ボックス構成部材を固着する複数のかしめ手段と、
を備え、
前記かしめ手段は、
前記第１ボックス構成部材に設けられた第１連結部と、
前記第１連結部により前記第１ボックス構成部材に連結される第１固着部と、
前記第２ボックス構成部材に設けられた第２連結部と、
前記第２連結部により前記第２ボックス構成部材に連結される第２固着部と、
を備え、
前記第１連結部及び前記第２連結部は、そのいずれか一方に当該一方の全長に亘って係合凹部を備えるとともにその他方に当該他方の全長に亘って当該係合凹部に係合可能な係合凸部を備え、
前記第１固着部と、前記第２固着部と、を締結部材により固着することにより前記基板ボックスは封印され、
前記基板ボックスが封印される際、前記係合凸部が前記係合凹部に係合することを特徴とする遊技機。
【請求項２】
前記第２ボックス構成部材に対し、第１ボックス構成部材を所定方向にスライドさせることにより、基板ボックスを開閉可能なスライド機構を設け、
前記第１連結部及び前記第２連結部は、そのいずれか一方に嵌合凸部を備え、その他方に前記嵌合凸部をスライド自在に嵌合する嵌合凹部を備え、
前記基板ボックスを閉じる方向に、前記第２ボックス構成部材に対し、前記第１ボックス構成部材をスライドさせると、前記嵌合凸部と前記嵌合凹部とが嵌合することを特徴とする請求項１に記載の遊技機。
【請求項３】
前記係合凹部を備える前記第１連結部又は前記第２連結部は、肉薄部を備えたことを特徴とする請求項１又は２に記載の遊技機。
【請求項４】
前記第２固着部は、
前記第１ボックス構成部材のスライド方向の位置を規制するスライド規制部を備え、
前記第１固着部は、
前記基板ボックスを閉じる方向に、前記第２ボックス構成部材に対し、前記第１ボックス構成部材をスライドさせると、所定位置で前記スライド規制部に係止されるスライド被係止部を備えることを特徴とする請求項１〜３の何れか一項に記載の遊技機。
【発明の詳細な説明】
【技術分野】
【０００１】
本発明は、制御装置を備える遊技機に関する。
【背景技術】
【０００２】
現在の遊技機における制御装置は、制御基板を基板ボックスに収納することにより構成され、基板ボックスに設けられた複数のかしめ部の１つにワンウェイネジを締めて、不正に開封されることのないようになっている（例えば、特許文献１参照）。このような基板ボックスを開封する場合には、最初のかしめ部を切断して開封した後、次のかしめ部にワンウェイネジを締めて封印する。つまり、一度開封した基板ボックスには、かしめ部が１つ無くなっているので、かしめ部の数を確認すれば開封した回数がわかるように構成されている。
【特許文献１】特開平１０−２４９０２１号公報
【発明の開示】
【発明が解決しようとする課題】
【０００３】
しかしながら、上記特許文献１における発明の場合、基板ボックスのベース部材側の連結部のみを破断することで、主基板を開封し、主基板を不正に改造した後に主基板を封印すれば、かしめ部の数自体に変化がないように見え、一見しただけでは不正を見抜きにくい。このため不正改造の発見が遅れるという問題が発生していた。
【０００４】
本発明の目的は、連結部の巧妙な破断を好適に防止することができ、万が一、連結部を破壊された場合でも当該連結部の破断の痕跡を一見して把握可能とすることで、基板ボックスに対する不正を早期に発見することができる遊技機を提供することにある。
【課題を解決するための手段】
【０００５】
以上の課題を解決するため、請求項１に記載の発明は、
電子部品を搭載した制御基板を基板ボックスに収納した制御装置を備える遊技機において、
前記基板ボックスは、
第１ボックス構成部材と、第２ボックス構成部材と、前記第１ボックス構成部材及び前記第２ボックス構成部材を固着する複数のかしめ手段と、
を備え、
前記かしめ手段は、
前記第１ボックス構成部材に設けられた第１連結部と、
前記第１連結部により前記第１ボックス構成部材に連結される第１固着部と、
前記第２ボックス構成部材に設けられた第２連結部と、
前記第２連結部により前記第２ボックス構成部材に連結される第２固着部と、
を備え、
前記第１連結部及び前記第２連結部は、そのいずれか一方に当該一方の全長に亘って係合凹部を備えるとともにその他方に当該他方の全長に亘って当該係合凹部に係合可能な係合凸部を備え、
前記第１固着部と、前記第２固着部と、を締結部材により固着することにより前記基板ボックスは封印され、
前記基板ボックスが封印される際、前記係合凸部が前記係合凹部に係合することを特徴とする。
【０００６】
請求項１に記載の発明によれば、かしめ手段を構成する第１連結部及び第２連結部は、そのいずれか一方に当該一方の全長に亘って係合凹部を備えるとともにその他方に当該他方の全長に亘って当該係合凹部に係合可能な係合凸部を備え、基板ボックスが封印される際、係合凸部が係合凹部に係合するので、基板ボックスが封印されている状態において、第１連結部及び第２連結部のうち何れか一方だけの切断をしにくくすることができる。
従って、連結部の巧妙な破断を好適に防止でき、万が一、連結部を破壊された場合でも当該連結部の破断の痕跡を一見して把握可能とすることで、基板ボックスに対する不正を早期に発見することができる。
【０００７】
請求項２に記載の発明は、請求項１に記載の遊技機であって、
前記第２ボックス構成部材に対し、第１ボックス構成部材を所定方向にスライドさせることにより、基板ボックスを開閉可能なスライド機構を設け、
前記第１連結部及び前記第２連結部は、そのいずれか一方に嵌合凸部を備え、その他方に前記嵌合凸部をスライド自在に嵌合する嵌合凹部を備え、
前記基板ボックスを閉じる方向に、前記第２ボックス構成部材に対し、前記第１ボックス構成部材をスライドさせると、前記嵌合凸部と前記嵌合凹部とが嵌合することを特徴とする。
【０００８】
請求項２に記載の発明によれば、基板ボックスが封印されている状態において、嵌合凸部と嵌合凹部とが嵌合しているので、第１連結部及び第２連結部のうち何れか一方だけを切断しても、嵌合凸部と嵌合凹部との嵌合によって、第１連結部及び第２連結部の係合を解除することを好適に防止することができる。従って、連結部の巧妙な破断をより好適に防止することができる。
【０００９】
請求項３に記載の発明は、請求項１又は２に記載の遊技機であって、
前記係合凹部は、肉薄部を備えたことを特徴とする。
【００１０】
請求項３に記載の発明によれば、係合凹部を備える第１連結部又は第２連結部は肉薄部を備えているので連結部の切断が容易となる。
従って、不正の目的ではなく基板ボックスを開封する際には、第１連結部及び第２連結部を容易に切断することができる。
【００１１】
請求項４に記載の発明は、請求項１〜３の何れか一項に記載の遊技機であって、
前記第２固着部は、
前記第１ボックス構成部材のスライド方向の位置を規制するスライド規制部を備え、
前記第１固着部は、
前記基板ボックスを閉じる方向に、前記第２ボックス構成部材に対し、前記第１ボックス構成部材をスライドさせると、所定位置で前記スライド規制部に係止されるスライド被係止部を備えることを特徴とする。
【００１２】
請求項４に記載の発明によれば、第１ボックス構成部材のスライド方向の位置を規制することができるので、第１固着部と第２固着部とをワンウェイネジ等の締結部材により締結する際に、ネジ穴の位置ズレを好適に防止することができる。
従って、ワンウェイネジ等の締結部材を締めたつもりで締めていないという不具合を好適に防止することができ、基板ボックスを簡単に開けられてしまい、制御基板を不正に改造されてしまうというようなミスを未然に防止することができる。
【発明の効果】
【００１３】
本発明によれば、基板ボックスが封印されている状態において、第１連結部及び第２連結部のうち何れか一方だけの切断をしにくくすることができる。
従って、連結部の巧妙な破断を好適に防止でき、万が一、連結部を破壊された場合でも当該連結部の破断の痕跡を一見して把握可能とすることで、基板ボックスに対する不正を早期に発見することができる。
【発明を実施するための最良の形態】
【００１４】
以下、この発明の実施形態について図面を参照して説明する。
ここでは、本発明にかかる遊技機１００の適例としてのパチンコ遊技機１００について図１から図１１を用いて説明を行う。
【００１５】
図１は、本発明を適用した一実施形態の遊技機１００に備わる遊技盤１の一部を示す背面図であり、取付ベース２に取り付けられた演出制御装置３及び遊技制御装置１０を示す。
本実施形態の遊技機１００は、矩形枠状に構成された機枠（図示略）を備え、この機枠の前方に該機枠に対し回動可能に矩形枠状の前面枠（図示略）が軸支されており、前面枠の背面側には、当該前面枠に形成された開口部から前側に臨むように遊技盤１が取り付けられている。
そして、遊技盤１の背面側には、各種部材が取り付けられる取付ベース２が設けられ、取付ベース２の上側に、表示ユニットを制御する演出制御装置３が取り付けられ、その下側に、当該遊技盤１に設けた遊技装置の動作制御などを行うことで遊技の進行を統括的に制御する遊技制御装置１０（詳細後述）が基板ホルダ６０を介して取り付けられている。
【００１６】
なお、前面枠の前面側には、図示は省略するが、前側を覆うようにクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
また、前面枠の前面側のクリア部材保持枠の下側に取り付けられた発射操作ユニット（図示略）は、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００１７】
また、前面枠の背面側には、遊技機１００としての諸機能を実現するための機構として、例えば、島設備より供給される遊技球を貯留する貯留タンク（図示略）や、球貸要求に応じた球排出や賞球排出を行う排出装置（図示略）、遊技盤１に設けられた各種入賞口へ入賞して回収された遊技球や何れの入賞口にも入賞せずにアウト口から回収された遊技球を機外の回収球搬送路へ導く遊技球回収機構（図示略）、球排出や打球の発射制御を行う排出・発射制御装置（図示略）、各部へ所定の電源を供給する電源装置（図示略）などが設けられている。
【００１８】
以下に、遊技制御装置１０について図２〜図９を参照して詳細に説明する。
遊技制御装置１０は、遊技機１００の制御を行う遊技制御基板１１を基板ボックス１２に収納したものであって、取付ベース２に回動自在に軸着された基板ホルダ６０に保持されて遊技盤１の背面側に取り付けられている。
なお、遊技制御装置１０は遊技盤１の背面に取り付けられ、該遊技盤１が前面枠に取り付けられることで、遊技機１００の背面側から視認可能に配されている。よって、以下の説明では、図１に示すように、遊技機１００の背面側に配された遊技制御装置１０を遊技機１００の背面側から見た状態を基準として、遊技機１００の背面側から視認可能な面を前面（正面）、遊技盤１に取り付けられた側を後面とし、上下左右も遊技機１００の背面側から見た状態での上下左右とする。
【００１９】
先ず、基板ホルダ６０について説明する。
基板ホルダ６０は、例えば、透光性の合成樹脂で形成されており、基板ボックス１２が保持されるホルダ本体部６１と、ホルダ本体部６１の左側に設けられた２つの回動軸６２、６２等を備えている。
【００２０】
２つの回動軸６２、６２は、上下に並んで配設されている。各回動軸６２は、上下方向に対して略平行に延在して形成され、取付ベース２の軸受部２９に軸着されることで、取付ベース２に対して上下方向の軸周りに回動自在に取り付けられる。
【００２１】
ホルダ本体部６１は、上下方向及び左右方向に対して略平行に延在する板状に形成され、その後面には補強用のリブ（図示略）が上下左右に複数形成されている。
また、ホルダ本体部６１の右側部分には、中継基板４が取り付けられる中継基板取付部６３が設けられている。そして、中継基板取付部６３と回動軸６２の間の部分が、基板ボックス１２が取り付けられるボックス取付部６４となっている。
【００２２】
ボックス取付部６４の左右方向に延在する上下縁部には、基板ボックス１２の第２ボックス構成部材４０に形成されたスライド係合部４１（後述）と対応する位置に、スライド係合部４１を受け入れるスライド係合受部６４１が形成されている。
スライド係合受部６４１の各々は、当該ボックス取付部６４の前面から前側に突出するように形成され、基板ボックス１２側に開口した断面略「コ」字状の側壁部と、この側壁部の前端の右側部分に連続して形成され、当該右側部分のみを覆う右側被覆部とを備えている。
即ち、側壁部の前端の左側部分は、スライド係合部４１を受け入れるための開口部となっており、この開口部を介して当該スライド係合受部６４１の内側に配されたスライド係合部４１は相対的に右方向に移動することにより、右側被覆部により抜け止めされた状態でスライド係合受部６４１に係合する。
これにより、基板ボックス１２が基板ホルダ６０に取り付けられるようになっている。
【００２３】
ボックス取付部６４の右端部には、基板ボックス１２の挿入係合部４３と対応する位置に、挿入係合部４３を受け入れる挿入係合受部（図示略）が上下に並んで形成されている。
挿入係合受部は、外形が略直方体状に形成され、左側に向けて開口した略矩形状の開口部を有している。そして、基板ホルダ６０に対して基板ボックス１２を相対的に右方向へスライドさせることにより、挿入係合受部に開口部を介して挿入係合部４３が挿入される。
これによっても基板ボックス１２が基板ホルダ６０に取り付けられるようになっている。
【００２４】
ボックス取付部６４の左側部には、基板ボックス１２の左端部に係合して当該ボックス取付部６４からの取り外しを規制する係止部６７が設けられている。
係止部６７は、当該ホルダ本体部６１と一体となって形成され、可撓性を有している。具体的には、係止部６７は、ボックス取付部６４の左側部の上下方向の中央やや下寄りの位置に設けられ、基板ボックス１２の左端部に係合する係合爪がホルダ本体部６１と略同方向に延在する延在部の先端部（左端部）に設けられている。
【００２５】
基板ボックス１２は、遊技制御装置１０の前面側を構成するとともに遊技制御基板１１を収納する第１ボックス構成部材２０と、後面側を構成する第２ボックス構成部材４０と、４つのかしめ部（かしめ手段）７０と、を備え、第１ボックス構成部材２０及び第２ボックス構成部材４０は、正面視にて右側側部に設けられたかしめ部７０（図２参照）により固着されている。
これにより、遊技制御基板１１が基板ボックス１２に完全に内包された状態となり、遊技制御基板１１に対する不正行為を防止するようになっている。
【００２６】
遊技制御基板１１は、外形が略矩形状の基板であって、前面には他の装置と接続するための複数のコネクタ１３が設けられているとともに、図示しないＣＰＵ、ＲＯＭ、ＲＡＭ内蔵のワンチップＩＣ等の電子部品が配されている。この遊技制御基板１１においては、例えば、大当たりの抽選や、遊技の進行制御などの遊技に関する種々の処理がなされるようになっており、このような制御を行う遊技制御基板１１に対する不正行為を防止するために、遊技制御基板１１は基板ボックス１２に収納されている。
【００２７】
第１ボックス構成部材２０は、例えば、透光性の合成樹脂で形成されており、内部に収納した遊技制御基板１１を視認可能となっている。また、第１ボックス構成部材２０は、遊技制御基板１１の外形に対応させて略矩形枠状に連結された４つの側壁部２２、…と、各側壁部２２の前端部に連続して形成され、４つの側壁部２２、…とともに収納凹部２３を形成する前面壁２１とを具備し、収納凹部２３内に遊技制御基板１１が第１ボックス構成部材２０の後面に配設されたネジ止め孔３３を介してネジ止めにより取付固定されている。
【００２８】
収納凹部２３は、前面側に膨らんで内側に遊技制御基板１１を収納するものであり、遊技制御基板１１のコネクタ１３が設けられた部分に合わせて、遊技制御基板１１と対向する前面壁２１の一部分が後面側に凹んで段部２４、…が形成されている。また、段部２４、…にはコネクタ１３が挿通されるコネクタ挿通開口部２５、…が設けられている。
このコネクタ挿通開口部２５、…に、基板ボックス１２に収納された遊技制御基板１１のコネクタ１３が挿入されて遊技制御装置１０の前面側に露出するようになっており、これによって遊技制御基板１１への配線が可能となっている。
また、コネクタ１３がコネクタ挿通開口部２５、…に挿入されることで、遊技制御基板１１は上下左右方向への移動が規制されるようになり、さらには、段部２４、…に遊技制御基板１１の前面が当接し、遊技制御基板１１の前方への移動が規制される。即ち、段部２４、…及びコネクタ挿通開口部２５、…は、第１ボックス構成部材２０に対する遊技制御基板１１の位置決めを行う機能も有する。
なお、遊技制御基板１１に設けるコネクタ１３は一部分に集中させないで、複数箇所に分散して設けられており、遊技制御基板１１が適切な位置に確実に保持されるようにされている。
【００２９】
また、４つの側壁部２２、…のうち、上下の側壁部２２、２２における外側の面には、当該側壁部２２に対して垂直に外側に突出する直方体状のボックススライド係合部３１が６つ形成されている。
ボックススライド係合部３１は、第２ボックス構成部材４０に形成されたボックススライド係合受部４６と係合可能であり、これにより第１ボックス構成部材２０と第２ボックス構成部材４０とが接合されるようになっている。
【００３０】
また、４つの側壁部２２、…のうち、左側の側壁部２２における外側の面には、当該側壁部２２に対して垂直に外側に突出する直方体状の第１挿入係合部３２が形成されている。
第１挿入係合部３２は、第２ボックス構成部材４０に形成された第２挿入係合受部４８に挿入されることで係合し、これによっても第１ボックス構成部材２０と第２ボックス構成部材４０とが接合されるようになっている。
【００３１】
また、上側の側壁部２２における外側の面には、第２ボックス構成部材４０に形成された係止片４９と係合可能な係止部材２７が設けられており、これによって第１ボックス構成部材２０と第２ボックス構成部材４０を接合した状態で保持できるようになっている。
【００３２】
また、４つの側壁部２２、…のうち、右側の側壁部２２の上端及び下端には、基板ボックス１２を基板ホルダ６０に取り付けるための取付部３５が、当該右側の側壁部２２の外側の面に垂設されている。
取付部３５の平面上にはネジ孔３５ａが形成されており、当該ネジ孔３５ａは、基板ホルダ６０に配設された螺合部（図示略）に対向する位置に配設されている。
【００３３】
第２ボックス構成部材４０は、例えば、透光性の合成樹脂で形成されており、内部に収納した遊技制御基板１１を視認可能となっている。また、第２ボックス構成部材４０は、遊技制御装置１０の後面をなす略矩形状の後面壁４７と、該後面壁４７の周囲を囲むように前側に略垂直に突出した周囲壁４２とを有し、周囲壁４２の内側に第１ボックス構成部材２０の側壁部２２が配設される。
【００３４】
後面壁４７の前面であって上側の周囲壁４２のすぐ下側には、当該周囲壁４２と平行なリブ状の上部案内壁４７ａが形成され、上側の側壁部２２が左右方向にスライド可能に係合するスライド溝が形成されている。
また同様に、下側の周囲壁４２のすぐ上側には、当該周囲壁４２と平行なリブ状の下部案内壁４７ｂが形成され、下側の側壁部２２が左右方向にスライド可能に係合するスライド溝が形成されている。
【００３５】
上下の周囲壁４２、４２における外側の面には、第１ボックス構成部材２０に形成されたボックススライド係合部３１と対応する位置に、各ボックススライド係合部３１を受け入れるボックススライド係合受部４６、…が形成されている。
ボックススライド係合受部４６、…の各々は、上下の周囲壁４２、４２に形成されたＬ字状のスリット４６ａと、該スリット４６ａが形成された部分の外側を覆うカバー部４６ｂとからなる。
スリット４６ａは、周囲壁４２の前端に一端部が位置しており、ここから前後方向に沿って後方へ延在し、さらに直角に左方へ屈折して左右方向に沿って延在するように形成されている。そして、周囲壁４２の前端に位置する一端部が、ボックススライド係合部３１を受け入れる受入部とされ、スリット４６ａの外側を覆うカバー部４６ｂにも、この部分に切欠状の開口が形成されている。これにより、ボックススライド係合部３１及びボックススライド係合受部４６は、基板ボックス１２を開閉可能なスライド機構として機能する。
【００３６】
また、上下の周囲壁４２、４２における外側の面には、周囲壁４２に対して略垂直に外側に突出して、基板ホルダ６０のスライド係合受部６４１と係合する直方体状のスライド係合部４１（図６参照）が複数（例えば、上下２個ずつ）形成されている。
【００３７】
左側の周囲壁４２には、第１ボックス構成部材２０に形成された第１挿入係合部３２と対応する位置に、該第１挿入係合部３２を受け入れる２つの第２挿入係合受部４８、４８が形成されている。
そして、第１ボックス構成部材２０と第２ボックス構成部材４０とを組み合わせた状態で第１ボックス構成部材２０を左方向へスライドすることにより、第２挿入係合受部４８に第１挿入係合部３２が挿入されるようになっている。
【００３８】
また、上側の周囲壁４２における外側の面には、第１ボックス構成部材２０に設けられた係止部材２７と対応する位置に係止片４９が形成されている。
係止片４９は、外側へ向かって突出する突条であって、右側面が左側へ向かって周囲壁４２からの突出量が増加する斜面とされ、左側面は周囲壁４２に対して垂直な面とされている。そして、係止片４９に係止部材２７が係止することによって、後述するように、第１ボックス構成部材２０と第２ボックス構成部材４０とが接合した状態が保持される。
【００３９】
また、右側の周囲壁４２の外側の面に配設された第２連結部７３のうち最も上側に配設された第２連結部７３のその上側、及び、第２連結部７３のうち最も下側に配設された第２連結部７３のその下側には、当該周囲壁４２に対して略垂直に外側に突出して基板ホルダ６０の挿入係合受部（図示略）に挿入される直方体状の挿入係合部４３（図６参照）が形成されている。
【００４０】
上下の周囲壁４２、４２は、第１ボックス構成部材２０の上下方向の長さよりも広い間隔を空けて配設されている。また、左右の周囲壁４２、４２は、当該周囲壁４２の内側にスライドさせるようにして取り付けられる第１ボックス構成部材２０のスライド量を考慮して、第１ボックス構成部材２０の左右の側壁部２２、２２よりも広い間隔を空けて配設されている。
【００４１】
次に、かしめ手段としてのかしめ部７０について説明する。
４つのかしめ部７０（かしめ手段）は、基板ボックス１２の右側側部の上下方向に所定間隔を空けて配設されており、夫々、第１ボックス構成部材２０の右側側部に設けられた第１連結部７１と、当該第１連結部７１により第１ボックス構成部材２０に連結される第１固着部７２と、第２ボックス構成部材４０の右側側部に設けられた第２連結部７３と、当該第２連結部７３により第２ボックス構成部材４０に連結される第２固着部７４と、を備え、第１固着部７２と、第２固着部７４と、を締結部材としてのワンウェイネジ８１により固着することにより、基板ボックス１２が封印されるようになっている。なお、このとき、ワンウェイネジ８１の頭部には封止キャップ８２が取り付けられるようになっている。これにより、ワンウェイネジ８１を止着した後、当該ワンウェイネジ８１の頭部が露出しないようにすることができる。
【００４２】
第１連結部７１は、右側の周囲壁２２の外側の面の上下方向に所定間隔を空けて配設されている。また、第１連結部７１は直方体状をなし、当該第１連結部の後面には直方体状の係合凸部を構成する第２連結部７３を係合可能な係合凹部７１ａが当該第１連結部７１の一端から他端に亘って備えられている（図５参照）。また、このとき、第１ボックス構成部材２０の右側の周囲壁２２の内側の面には、各第１連結部７１の係合凹部７１ａに対向する位置に、第１ボックス構成部材２０の後面側が開口した溝部３４が備えられており（図５参照）、第１ボックス構成部材２０のボックススライド係合部３１を第２ボックス構成部材４０のボックススライド係合受部４６（スリット４６ａ）に受け入れた際（スライドさせる前）、当該溝部３４に第２連結部７３に備えられた板状の嵌合凸部７３ｃが受け入れられるようになっている。
【００４３】
また、係合凹部７１ａの内壁の上下側面部には、嵌合凸部７３ｃをスライド自在に嵌合するための嵌合凹部７１ｂが備えられている（図７参照）。この嵌合凹部７１ｂは、断面略「コ」字状をなし、当該第１連結部７１の一端から他端に亘って備えられている。これにより、第１ボックス構成部材２０のボックススライド係合部３１を第２ボックス構成部材４０のボックススライド係合受部４６（スリット４６ａ）に受け入れ、第１ボックス構成部材２０を第２ボックス構成部材４０に対して左方向にスライドさせると、嵌合凸部７３ｃが嵌合凹部７１ｂに嵌合するようになっている（図９参照）。
【００４４】
また、第１連結部７１には、その前面から上面にかけて切り欠かれた肉薄部７１ｃが形成されている。また同様に、第１連結部７１の前面から下面にかけても肉薄部７１ｃが形成されている。
【００４５】
第１固着部７２は、外形が前後方向に延在する円筒状に形成され、略中央に第１ボックス構成部材２０と第２ボックス構成部材４０とを固着する際にワンウェイネジ８１が挿通されて止着されるかしめ用孔７２ａが前後方向に沿って穿設されている。
また、第１固着部７２は、その後端のネジ孔よりも右側部分が左側部分に対して後側に突出したスライド被係止部７２ｂを備えており（図５参照）、当該第１固着部７２と接合する第２固着部７４を右側から覆うようになっている。これにより、第１ボックス構成部材２０を第２ボックス構成部材４０に対して左方向にスライドさせた際、第１ボックス構成部材２０の位置を規制することができる。また、第１固着部７２と第２固着部７４との接合部分に工具等を差し込んで当該基板ボックス１２を開放する不正行為を抑制することもできる。
【００４６】
第２連結部７３は、右側の周囲壁４２の外側の面の上下方向に所定間隔を空けて配設されている。また、第２連結部７３は、第１連結部７１の係合凹部７１ａに係合可能な直方体状の係合凸部７３ａを備え、この係合凸部７３ａは、当該第２連結部７３の全長に亘って形成されている。また、第２連結部７３は、右側の周囲壁４２の外側から所定の幅を有し後面側から前面側に向かって延在する直方体状の突出片７３ｂを備えており、この突出片７３ｂの前面には、当該突出片７３ｂの断面積よりも大きい平板状の嵌合凸部７３ｃが備えられている。また、嵌合凸部７３ｃは、第１ボックス構成部材２０のボックススライド係合部３１を第２ボックス構成部材４０のボックススライド係合受部４６に係合させた際、当該嵌合凸部７３ｃが嵌合凹部７１ｂに対向する位置に配設されている。
【００４７】
第２固着部７４は、外形が前後方向に延在する円柱状に形成され、略中央部に第１ボックス構成部材２０と第２ボックス構成部材４０とを固着する際にワンウェイネジ８１が挿入されて止着されるかしめ用穴７４ａが前後方向に沿って穿設されている。また、第２固着部７４の前端面には、第１固着部７２に形成されたスライド被係止部７２ｂを係止するスライド規制部７４ｂが備えられている。
また、第２固着部７４は、第１ボックス構成部材２０と第２ボックス構成部材４０とを接合させることによって、第１固着部７２、…と対向配置され、第１固着部７２のかしめ用孔７２ａと第２固着部７４のかしめ用穴７４ａとが連通された状態となる。
また、右側の周囲壁４２の外側の面の第２固着部７４の上下両側には、それぞれ、当該第２固着部７４を所定位置に配置するための補強枠７５（図６参照）が備えられている。
【００４８】
次に、本発明の遊技機１００における基板ボックス１２の封印方法及び解除方法について説明する。
【００４９】
上記基板ボックス１２は、第１ボックス構成部材２０と第２ボックス構成部材４０とを接合する際には、まず、第１ボックス構成部材２０のボックススライド係合部３１を第２ボックス構成部材４０のボックススライド係合受部４６に嵌め込むようにする。これにより、第１ボックス構成部材２０の収納凹部２３の後端部分が第２ボックス構成部材４０の周囲壁４２に収容されるとともに、第１ボックス構成部材２０の上下の側壁部２２、２２が第２ボックス構成部材４０の上部案内壁４７ａ、下部案内壁４７ｂにより形成されるスライド溝にスライド自在に係合する。
また、このとき、第１連結部７１の後面に形成された係合凹部７１ａに第２連結部７３の係合凸部７３ａが係合するとともに、第１ボックス構成部材２０の後面に形成された溝部３４に第２連結部７３に備えられた嵌合凸部７３ｃが嵌め込まれることとなる。
そして、この状態で、第１ボックス構成部材２０を左方向へスライドさせることで、ボックススライド係合部３１とボックススライド係合受部４６とが係合するとともに、第１挿入係合部３２が第２挿入係合受部４８に挿入されて係合した状態となる。
また、このとき、溝部３４に嵌め込まれた嵌合凸部７３ｃは、第１ボックス構成部材２０が左方向へスライドすることに伴い、第１連結部７１の係合凹部７１ａに形成された嵌合凹部７１ｂに嵌合することとなる（図９参照）。そして、第１固着部７２のスライド被係止部７２ｂは、第２固着部７４のスライド規制部７４ｂに当接する位置まで第１ボックス構成部材２０が左方向へスライドすることとなる。
これにより、第１ボックス構成部材２０と第２ボックス構成部材４０とが接合した状態となる。
【００５０】
また、第１ボックス構成部材２０に設けられた係止部材２７は、上述のように第１ボックス構成部材２０を左方向にスライドさせることで、係止部材２７が弾性変形して係止片４９の斜面に沿って案内される。そして、係止部材２７の係止部が係止片４９を乗り越えると、弾性変形していた係止部材２７が元の状態に復帰し、係止片４９の垂直な左端面に係止部材２７が係止される。
このように、係止部材２７の係止部が係止片４９を乗り越えた状態となるのは、ちょうど第１ボックス構成部材２０が第２ボックス構成部材４０と接合された状態となったときであって、この位置で係止部材２７が係止されることで、第１ボックス構成部材２０と第２ボックス構成部材４０とが接合された状態で保持されることとなる。
【００５１】
第１ボックス構成部材２０と第２ボックス構成部材４０とが接合した状態では、かしめ部７０を構成する第１連結部７１の係合凹部７１ａと第２連結部７３の係合凸部７３ａと、が係合するとともに、第１固着部７２と第２固着部７４と、が対向するように配され、固着可能な状態となる。
かかる状態で、４つの第１固着部７２のうち、何れか（例えば、最も上側）の第１固着部７２のかしめ用孔７２ａ及び第２固着部７４のかしめ用穴７４ａにワンウェイネジ８１を螺入していくことで、第１固着部７２と第２固着部７４とが固着された状態となる。
これにより、第１ボックス構成部材２０と第２ボックス構成部材４０とを固着して、基板ボックス１２が封印された状態となる。
【００５２】
なお、ワンウェイネジ８１による固着前であれば、係止部材２７を上側に引き上げるように弾性変形させて係止片４９による係止部の係止状態を解除し、第１ボックス構成部材２０を右方向へスライドさせることで、第１ボックス構成部材２０と第２ボックス構成部材４０の接合状態を解除することができる。
【００５３】
一方、基板ボックス１２の封印を解除する場合には、先ず、ワンウェイネジ８１により固着されている第１固着部７２に連接された第１連結部７１を切断する。このとき、第１連結部７１には肉薄部７１ｃが備えられており切断しやすくなっている
そして、第１ボックス構成部材２０を第２ボックス構成部材４０に対して右方向にスライドさせることにより、第１ボックス構成部材２０と第２ボックス構成部材４０との接合状態を解除する。
【００５４】
以上のように、本実施形態の遊技機１００は、電子部品を搭載した遊技制御基板１１を基板ボックス１２に収納した遊技制御装置１０を備える遊技機１００において、基板ボックス１２は、第１ボックス構成部材２０と、第２ボックス構成部材４０と、第１ボックス構成部材２０及び第２ボックス構成部材４０を固着する４つのかしめ部７０と、を備え、かしめ部７０は、第１ボックス構成部材２０に設けられた第１連結部７１と、第１連結部７１により第１ボックス構成部材２０に連結される第１固着部７２と、第２ボックス構成部材４０に設けられた第２連結部７３と、第２連結部７３により第２ボックス構成部材４０に連結される第２固着部７４と、を備え、第１連結部７１は、その全長に亘って係合凹部７１ａを備えるとともに、第２連結部７３は、その全長に亘って当該係合凹部７１ａに係合可能な係合凸部７３ａを備え、第１固着部７２と、第２固着部７４と、をワンウェイネジ８１により固着することにより基板ボックス１２は封印され、基板ボックス１２が封印される際、係合凸部７３ａが係合凹部７１ａに係合するようになっている。
【００５５】
これにより、第１連結部７１は、その全長に亘って係合凹部７１ａを備えるとともに、第２連結部７３は、その全長に亘って当該係合凹部７１ａに係合可能な係合凸部７３ａを備え、基板ボックス１２が封印される際、係合凸部７３ａが係合凹部７１ａに係合するので、基板ボックス１２が封印されている状態において、第１連結部７１及び第２連結部７３のうち何れか一方だけの切断をしにくくすることができる。
従って、連結部の巧妙な破断を好適に防止でき、万が一、連結部を破壊された場合でも当該連結部の破断の痕跡を一見して把握可能とすることで、基板ボックスに対する不正を早期に発見することができる。
【００５６】
また、第２ボックス構成部材４０に対し、第１ボックス構成部材２０を左右方向にスライドさせることにより、基板ボックス１２を開閉可能なスライド機構を設け、第２連結部７３は、嵌合凸部７３ｃを備え、第１連結部７１は、嵌合凸部７３ｃをスライド自在に嵌合する嵌合凹部７１ｂを備え、基板ボックス１２を閉じる方向（左方向）に、第２ボックス構成部材４０に対し、第１ボックス構成部材２０をスライドさせると、嵌合凸部７３ｃと嵌合凹部７１ｂとが嵌合するようになっている。
【００５７】
これにより、基板ボックス１２が封印されている状態において、嵌合凸部７３ｃと嵌合凹部７１ｂとが嵌合しているので、第１連結部７１及び第２連結部７３のうち何れか一方だけを切断しても、嵌合凸部７３ｃと嵌合凹部７１ｂとの嵌合によって、第１連結部７１及び第２連結部７３の係合を解除することを好適に防止することができる。従って、第１連結部７１及び第２連結部７３の巧妙な破断をより好適に防止することができる。
【００５８】
また、係合凹部７１ａを備える第１連結部７１は、肉薄部７１ｃを備えている。
【００５９】
これにより、係合凹部７１ａを備える第１連結部７１は肉薄部７１ｃを備えているので連結部の切断が容易となる。
従って、不正の目的ではなく基板ボックス１２を開封する際には、第１連結部７１を容易に切断することができる。
【００６０】
また、第２固着部７４は、第１ボックス構成部材２０のスライド方向の位置を規制するスライド規制部７４ｂを備え、第１固着部７２は、基板ボックス１２を閉じる方向（左方向）に、第２ボックス構成部材４０に対し、第１ボックス構成部材２０をスライドさせると、所定位置でスライド規制部７４ｂに係止されるスライド被係止部７２ｂを備えている。
【００６１】
これにより、第１ボックス構成部材２０のスライド方向の位置を規制することができるので、第１固着部７２と第２固着部７４とをワンウェイネジ８１により締結する際に、ネジ穴の位置ズレを好適に防止することができる。
従って、ワンウェイネジを締めたつもりで締めていないという不具合を好適に防止することができ、基板ボックスを簡単に開けられてしまい、制御基板を不正に改造されてしまうというようなミスを未然に防止することができる。
【００６２】
＜変形例＞
以下に、かしめ部７０の変形例について図１０及び図１１を参照して説明する。
なお、以下に説明する以外の点では、上記実施形態と略同様であり、その説明は省略する。
【００６３】
この変形例におけるかしめ部７０は、基板ボックス１２の右側側部の上下方向に所定間隔を空けて配設されており、夫々、第１ボックス構成部材２０の右側側部に設けられた第２連結部７３と、当該第１連結部７３により第１ボックス構成部材２０に連結される第１固着部７２と、第２ボックス構成部材４０の右側側部に設けられた第１連結部７１と、当該第１連結部７１により第２ボックス構成部材４０に連結される第２固着部７４と、を備え、第１固着部７２と、第２固着部７４と、を締結部材としてのワンウェイネジ８１により固着することにより、基板ボックス１２が封印されるようになっている。
すなわち、上記実施形態のかしめ部７０とは、第１固着部７２に連接されるのが第２連結部７３であり、第２固着部７４に連接されるのが第１連結部７１である点が異なる。また、この構成の違いから、第１ボックス構成部材２０の後面に形成された溝部（図示略）は、第１ボックス構成部材２０のボックススライド係合部３１を第２ボックス構成部材４０のボックススライド係合受部４６（スリット４６ａ）に受け入れた際（スライドさせる前）、当該溝部に第２連結部７３に備えられた係合凹部７１ａの前面部が受け入れられるようになっている。
【００６４】
これにより、上記変形例のかしめ部７０によれば、図１０に示すように、基板ボックス１２が封印された状態において、第１連結部７１のみを切断すれば、基板ボックス１２の前面から見て、当該第１連結部７１が切断されたことを一見して把握することができる。また同様に、第２連結部７３のみを切断した場合であっても、基板ボックス１２の前面から見て、当該第２連結部７３が切断されたことを一見して把握することができる。
従って、連結部を破壊された場合でも当該連結部の破断の痕跡を一見して把握可能とすることで、基板ボックスに対する不正を早期に発見することができる。
【００６５】
また、本発明は、上記実施形態に限定されることなく、本発明の趣旨を逸脱しない範囲において、種々の改良並びに設計の変更を行っても良い。
例えば、上記実施形態では、制御装置として、遊技制御装置１０を例示したが、これに限られるものではなく、電子部品を搭載した制御基板を基板ボックスに収納した制御装置であれば如何なるものであっても良い。
【００６６】
また、上記実施形態において、肉薄部７１ｃは、第１連結部７１の前面と上面とが交わる角部、及び、第１連結部７１の前面と下面とが交わる角部を切り欠くことにより形成したが、この切り欠きを、第１連結部７１の上面の前端から後端に亘って形成し、同様に、第１連結部７１の下面の前端から後端に亘って切り欠きを形成する設計であっても良い。
【００６７】
また、第１連結部７１及び第２連結部７３を、異なる色であって、かつ、透光性の合成樹脂でそれぞれ形成することで、第１連結部７１と第２連結部７３とが係合した状態では、それぞれの連結部の色が混じった状態で視認することができるようにし、第１連結部７１及び第２連結部７３のうち何れかが切断されることにより、色の変化が生じ、これにより、連結部の破断の痕跡を一見して把握可能としても良い。
【図面の簡単な説明】
【００６８】
【図１】本発明を適用した一実施形態の遊技機に備わる遊技盤の一部を示す背面図である。
【図２】図１の遊技盤に備わる遊技制御装置を示す斜視図である。
【図３】図２の第１ボックス構成部材側から見た分解斜視図である。
【図４】第１ボックス構成部材の正面図である。
【図５】図４の第１ボックス構成部材の背面図である。
【図６】第２ボックス構成部材の正面図である。
【図７】図４のＢ−Ｂ線を含む平面で切断した状態を示す図である。
【図８】図６の第２ボックス構成部材の右側面図である。
【図９】図２のＡ−Ａ線を含む平面で切断した状態を示す図である。
【図１０】変形例の遊技制御装置を示す斜視図である。
【図１１】図９の第１ボックス構成部材側から見た分解斜視図である。
【符号の説明】
【００６９】
１００  遊技機
１０    遊技制御装置（制御装置）
１２    基板ボックス
２０    第１ボックス構成部材
４０    第２ボックス構成部材
７０    かしめ部（かしめ手段）
７１    第１連結部
７１ａ  係合凹部
７２    第１固着部
７３    第２連結部
７３ａ  係合凸部
７４    第２固着部
８１    ワンウェイネジ（締結部材）
【図１】
2010004970.tif 000003
【図２】
2010004970.tif 000004
【図３】
2010004970.tif 000005
【図４】
2010004970.tif 000006
【図５】
2010004970.tif 000007
【図６】
2010004970.tif 000008
【図７】
2010004970.tif 000009
【図８】
2010004970.tif 000010
【図９】
2010004970.tif 000011
【図１０】
2010004970.tif 000012
【図１１】
2010004970.tif 000013